(57)【特許請求の範囲】
【請求項１】
チューブ上に少なくともコイル部を形成したＭＲＩ受信コイルであって、コイル部を形成する１ループの配線の一部にチューブの軸方向の遠位側に突出した凸部を形成し、前記凸部が、コイル部の１ループの配線の中に少なくとも２箇所設けていることを特徴とするＭＲＩ受信コイル。
【請求項２】
チューブ上に少なくともコイル部を形成したＭＲＩ受信コイルであって、コイル部を形成する１ループの配線の一部にチューブの軸方向の近位側に凹んだ凹部を形成し、前記凹部が、コイル部の１ループの配線の中に少なくとも２箇所設けていること特徴とするＭＲＩ受信コイル。
【請求項３】
コイル部の１ループを略円盤とみなした時に、略円盤の垂線とチューブの中心軸が略一致したソレノイドコイルである請求項１又は２記載のＭＲＩ受信コイル。
【請求項４】
コイル部の１ループを略円盤とみなした時に、略円盤の垂線とチューブの中心軸がずれを有しているソレノイドコイルである請求項１又は２記載のＭＲＩ受信コイル。
【請求項５】
チューブ上に少なくともコイル部を形成したＭＲＩ受信コイルであって、コイル部を形成する１ループの配線の一部にチューブの軸方向の遠位側に突出した凸部を形成し、前記コイル部の１ループを略円盤とみなした時に、略円盤の垂線とチューブの中心軸が略一致したソレノイドコイルであることを特徴とするＭＲＩ受信コイル。
【請求項６】
チューブ上に少なくともコイル部を形成したＭＲＩ受信コイルであって、コイル部を形成する１ループの配線の一部にチューブの軸方向の近位側に凹んだ凹部を形成し、前記コイル部の１ループを略円盤とみなした時に、略円盤の垂線とチューブの中心軸が略一致したソレノイドコイルであることを特徴とするＭＲＩ受信コイル。
【請求項７】
直径２ｍｍ以下のチューブ上に形成する配線パターンを多層に形成してコイル部とリード線部を形成し、少なくとも１箇所以上の配線交差部分を有する請求項１〜６何れかに記載のＭＲＩ受信コイル。
【発明の詳細な説明】
【技術分野】
【０００１】
本発明は、カテーテルや内視鏡に搭載して被検体の体腔内に挿入し、磁気共鳴撮像法(MRI:Magnetic Resonance Imaging）による画像データ取得時に挿入部位近傍の被検体構成核から発生する核磁気共鳴(NMR)信号を受信するためのMRI受信コイルと、そのMRI受信コイルの製造方法に関する。
【背景技術】
【０００２】
近年の医療技術の発展に伴って従来の治療中心の医療だけでなく予防・診断の医療が益々重要となっている。そのため、画像診断技術の発展に大きな期待が寄せられている。画像診断には様々な技術があるが、その中でも磁気共鳴撮像法（以下、MRIという）は体内の軟組織まで精度よく撮像でき、任意の方向の断面像を得られるなど優れた撮像方法として知られている。
【０００３】
しかし、このように優れたMRIでも、通常の装置では体内深部まで高分解能には描写できないのが現状である。体内深部には放置すると重篤疾患に至る病変が存在する場合がある。例えば、心臓の冠動脈内や頚動脈の動脈硬化症によってできた粥状プラークは、その破裂によって末梢塞栓が引き起こされて心筋梗塞や脳梗塞に至る。また、胆管や膵管は管径が細く、胃・肝臓の裏側という体深部に位置するため管壁や管内の病変の発見が困難な臓器である。これらの臓器にできる癌は致死率が非常に高いが、その最大の要因は早期発見の難しさにある。したがって、これら体内深部の血管や消化管を精密に診断できるデバイスの開発は臨床上大きな意義を持つのである。
【０００４】
従来から、カテーテルや内視鏡にMRI受信コイルを搭載するこことは公知である。例えば、特許文献１には、カテーテルの先端部にゴム材からなる外側袋状体と内側袋状体を内外二層構造として設けるとともに、この内外袋状体の間に柔軟な１回巻きの受信コイルを配置し、内側袋状体を膨張させて体腔内に位置決めした状態でNMR信号を受信する点が開示されている。この受信コイル搭載カテーテルは、直腸や膣内に挿入し、前立腺や子宮頸部を局部的に造影することを目的とするので、比較的大きな径を有している。
【０００５】
受信コイルは導電体でループを構成するため小型化が難しく、血管等への挿入が困難なため、特許文献２及び３には血管等の生体内の微小部分に挿入できるように、NMR信号を直線状の導電体からなるモノポールアンテナ又はダイポールアンテナで受信するようにしたプローブが提案されている。しかし、静磁場強度が１．５Ｔの場合、水素を対象に撮像を行うとすれば、共鳴周波数が約６４MHzであるので、特許文献２では、半波長ダイポールアンテナの全長は約２．４ｍ（材質が銅の場合）にもなる。静磁場強度が４．７Ｔ（共鳴周波数約２００MHz）の場合でも半波長ダイポールアンテナの全長は約０．７５ｍになるので、取り扱いが難しく、セッティングも容易ではない。特許文献３では、カテーテルのガイドワイヤーをモノポールアンテナとして利用し、撮像範囲（視野）が狭いことを利用してガイドワイヤーの位置と方向を正確に検知することを目的としている。
【０００６】
特許文献４には、バルーンカテーテルのバルーン内に受信コイルを配置するとともに、バルーンの挿入方向前部と後部とにそれぞれ開口部を有する連通管を設けたMRI用プローブが開示されている。このMRI用プローブは、バルーンを膨張させて血管内に固定し、NMR信号を受信しているときに、連通管を通して血液を還流させることができるものであるが、受信コイルに対する工夫は見られない。つまり、受信コイルは、バルーンの内面に接着しているので、バルーンの膨張と収縮に応じて、受信コイルを構成する導電体に対して引張り、圧縮、曲げ、捩れが生じ、これを繰り返せば断線やバルーンからの剥離等の不具合が生じることが容易に予測できる。
【０００７】
このように、カテーテル先端に受信コイルを搭載させる方法は有効な手段として以前から注目されてきた。しかし、従来のものは、カテーテル内腔を犠牲にしたもの、体内管腔への挿入が困難なほど太いもの、手巻きのコイルで均一な磁場が作れないものなど実用面での課題が大きかった。
【０００８】
我々は独自に開発した円筒面フォトリソグラフィを用いて受信コイルの作製を目指しており、従来に例を見ない細径チューブ上への受信コイルの作製に既に成功している（特許文献５を参照）。この技術の優れた点として、プローブの内腔維持の実現と微細加工性が挙げられる。内腔維持によって、造影剤・薬剤の投与、ガイドワイヤー等の治療ツールの挿入などが可能となる。また、その微細加工性によって直径２mm以下の細径チューブ上でも複雑な形状のコイルの精密な作製が可能となり、粥状プラークの性状や消化管壁に潜む病変の診断に有効な受信コイルなど患部・用途に応じた多彩な受信コイル設計を実現できる。例えば、チューブ上に等ピッチで軸方向に巻いた通常形状のソレノイドコイルでは、軸方向前方の撮像が可能であり、軸方向に対して傾斜させて巻いた傾斜ソレノイドコイルでは、傾斜面が向いた斜め前方の撮像が可能であり、チューブを周回することなく側面でループを形成したサドルコイルでは、側方の撮像が可能である。
【先行技術文献】
【特許文献】
【０００９】
【特許文献１】特開平２−２７７４４０号公報
【特許文献２】特開平６−７０９０２号公報
【特許文献３】特開平７−２５５６９４号公報
【特許文献４】特開平１１−２２５９８５号公報
【特許文献５】特開２００７−１１４７５８号公報
【発明の概要】
【発明が解決しようとする課題】
【００１０】
前述の特許文献５に開示された円筒面フォトリソグラフィを用いて、直径２mm以下の細径チューブ上に、複雑且つ精密な形状でしかも多層の受信コイルを作製することが原理的に可能であるが、実用に供するには要求される撮像範囲（視野）に応じたコイル形状の更なる工夫と、感度向上のための改良、工夫が必要である。一方、細径チューブ上に作り込むコイルパターンの線幅と線間隔は１００μｍオーダー、厚さはそれよりも薄くなるので、信頼性の高い製品を効率良く製造するには製造方法にも改良が必要である。単純なソレノイドコイルでも、チューブの先端側のコイル端から基端側へチューブに沿って引き出すリード線部が、コイル部と交差してブリッジを形成する。また、多層の受信コイルを作製する場合にもブリッジは生じる。このブリッジ部分において、接近した下層の二つの配線間に形成された溝部を横切って上層の配線が形成されるが、このとき上層の配線が薄肉化して電気抵抗が増大したり、更には断線する事態がかなりの頻度で生じた。本発明者らは、この不具合の原因を追求した結果、パターニングの際の凹溝の断面形状にあることを突き止めた。つまり、下層の配線は、レジスト膜をレーザーで照射して形成した凹溝パターン内に電解めっきにて形成されるが、この凹溝パターンの断面形状が逆台形になっていると、下層の配線の断面形状が逆台形となり、それにより配線間のレジスト膜を除去して形成した溝部が台形になり、隣接する配線の上部がオーバーハングすることが原因であることを突き止めた。一般的には、多層化したときに生じる配線段差部で不良が発生する。
【００１１】
そこで、本発明が前述の状況に鑑み、解決しようとするところは、カテーテルや内視鏡を構成する細径チューブ上に作り込むソレノイドコイル及びサドルコイルの形状と多層構造を工夫して、チューブの体腔内挿入方向に対して前方から側方の所望方向に磁場高感度域を集中あるいは拡散させて高感度の局所撮像を可能としたり、磁場高感度域をチューブの全周にわたって均一にして全周撮像を可能とするMRI受信コイルを提供し、併せて多層構造のコイルパターンのブリッジ部分での薄肉化や断線の発生を防止して信頼性の確保と製造効率の向上を図ることが可能なMRI受信コイルの製造方法を提供する点にある。
【課題を解決するための手段】
【００１２】
本発明は、前述の課題解決のために、チューブ上に少なくともコイル部を形成したＭＲＩ受信コイルであって、コイル部を形成する１ループの配線の一部にチューブの軸方向の遠位側に突出した凸部を形成し、前記凸部が、コイル部の１ループの配線の中に少なくとも２箇所設けていることを特徴とするＭＲＩ受信コイルを構成した。
【００１３】
また、本発明は、チューブ上に少なくともコイル部を形成したＭＲＩ受信コイルであって、コイル部を形成する１ループの配線の一部にチューブの軸方向の近位側に凹んだ凹部を形成し、前記凹部が、コイル部の１ループの配線の中に少なくとも２箇所設けていることを特徴とするＭＲＩ受信コイルを構成した。
【００１４】
ここで、前記凸部又は凹部が、コイル部の１ループの配線の中に２〜４箇所設けていることが好ましい。
【００１５】
また、直径２ｍｍ以下のチューブ上に形成する配線パターンを多層に形成してコイル部とリード線部を形成し、少なくとも１箇所以上の配線交差部分を有するものである。
【００１６】
そして、コイル部の１ループを略円盤とみなした時に、略円盤の垂線とチューブの中心軸が略一致したソレノイドコイルである。あるいは、コイル部の１ループを略円盤とみなした時に、略円盤の垂線とチューブの中心軸がずれを有しているソレノイドコイルである。
【発明の効果】
【００２０】
本発明のMRI受信コイルによれば、NMR信号の受信コイルを有しており、これをカテーテルや内視鏡の先端に搭載して体内深部の血管や消化管へ誘導することで、通常のMRI装置では撮像困難な病変を体内から撮像できるようになり、体内深部の血管や消化管を高分解能に描画し、病気の予防診断を実現する体内管腔撮像用多層コイル型MRIプローブを提供することができる。コイルの多層化プロセスによってコイル性能を向上させることで、より優れた撮像能を発揮できる。
【００２２】
ここで、軸方向の遠位側に凸部が向いた変形ソレノイド型受信コイルを用いることにより、カテーテルの前方を撮像できる。狭窄、閉塞などの病変に対して病変部を傷付けることなく安全に撮像ができる。
【００２３】
また、軸方向の遠位側に凹部が向いた変形ソレノイド型受信コイルを用いることにより、カテーテル前方の局所に感度を集中させ高感度撮像ができる。また、傾斜ソレノイドと凹部とを組み合わせることにより、カテーテルの周囲の特定の方向と領域、つまりカテーテルの斜め前方の特定領域に感度を集中させて撮像ができる。
【図面の簡単な説明】
【００２６】
【図１】本発明で使用する円筒面フォトリソグラフィ装置の説明図である。
【図２】配線パターン作製のための１層目プロセスを示す説明図である。
【図３】配線パターン作製のための２層目プロセスを示す説明図である。
【図４】ソレノイド型の受信コイルを示し、（ａ）は受信コイルの斜視図、（ｂ）は（ａ）のブリッジ部分Ａの拡大断面図である。
【図５】サドル型の受信コイルを示し、（ａ）は受信コイルの斜視図、（ｂ）は（ａ）の重なり部分Ｂの拡大断面図、（ｃ）は（ａ）の交差部分Ｃの拡大断面図、（ｄ）は（ａ）のブリッジ部分Ｄの拡大断面図である。
【図６】変形ソレノイド型の受信コイルの第１例を示し、（ａ）は概観斜視図であり、（ｂ）はコイル部の展開図を示している。
【図７】変形ソレノイド型の受信コイルの第２例を示し、（ａ）は概観斜視図であり、（ｂ）はコイル部の展開図を示している。
【図８】コイル部が２層である変形ソレノイド型の受信コイルの第３例を示し、１層目と２層目のコイル部の展開図を示している。
【図９】変形ソレノイド型の受信コイルの第４例を示し、（ａ）は概観斜視図であり、（ｂ）はコイル部の展開図を示している。
【図１０】変形ソレノイド型の受信コイルの第５例を示し、（ａ）は概観斜視図であり、（ｂ）はコイル部の展開図を示している。
【図１１】凹部の形状に対するバリエーションを示し、（ａ）はＶ字形、（ｂ）はＵ字形、（ｃ）は多角形の場合を図式的に示している。
【図１２】変形ソレノイド型の受信コイルの第６例を示し、（ａ）は概観斜視図であり、（ｂ）はコイル部の展開図を示している。
【図１３】作製したサドル型の受信コイルの概略の展開図を示し、（ａ）は単層構造、（ｂ）は２層のコイル開き角が同じで完全にコイル部が重なった２層構造、（ｃ）は４層のコイル開き角が同じで完全にコイル部が重なった４層構造、（ｄ）は２層のコイル開き角が異なる２層構造を示している。
【図１４】２層のコイル開き角が同じで完全にコイル部が重なった２層構造のサドル型の受信コイルの１層目と２層目の配線パターンを示した展開図である。
【図１５】作製した受信コイルを用いて寒天ファントムに埋めたアクリル格子を撮像するための実験配置を示し、（ａ）はサドル型受信コイルを用いて撮像する配置図、（ｂ）は変形ソレノイド型受信コイルを用いて撮像する配置図である。
【図１６】各種サドル型受信コイルを用いて寒天ファントムに埋めたアクリル格子を撮像した結果を示すMRI断層像である。
【図１７】完全に重なった２層サドル型受信コイルと単層サドル型受信コイルのSN比を比較した結果のグラフである。
【図１８】変形ソレノイド型受信コイルを用いて寒天ファントムに埋めたアクリル格子を撮像した結果を示すMRI断層像である。
【発明を実施するための形態】
【００２７】
一般的に、MRI装置は、０．５Ｔ〜７Ｔといった強力な静磁場と該静磁場に直交する方向の傾斜磁場の中に配置した被検体の観察部位に対して、外部から水素原子核のラーモア周波数に対応する高周波パルスを照射し、被検体を構成する水素原子核から発生するNMR信号を、被検体の外部に配置した多チャンネルの受信コイルで受信し、そのNMR信号データをフーリエ変換処理して信号発生位置、強度及び緩和時間を導き出し、水素原子の分布として画像化するのである。生体組織の場合、臓器や器官、あるいは体内物質によって水素原子の数密度が異なるので、結局水素原子の分布から生体組織の構造が判るのである。本発明のMRI受信コイルは、通常の被検体の外部に配置する受信コイルではなく、被検体の内部に挿入するものであり、通常のMRI診断と同時に又は交互に受信することができ、本発明のMRI受信コイルで受信して取得した被検体の内部の局部画像を、全体の被検体の診断画像に重ねて表示することもできる。尚、水素原子核以外にも核スピンが０でない原子核であれば利用でき、例えば炭素、リン、ナトリウムなどの分布を画像化することは原理的に可能である。
【００２８】
先ず、細径チューブ上に配線の微細パターンを形成するための円筒面フォトリソグラフィの主要部を構成する点照射露光装置を図１に基づいて簡単に説明する。この点照射露光装置は、固定された微小点の露光光に対してサンプルを多軸ステージで制御しながら描画する点照射露光を原理としている。円筒面フォトリソグラフィには、点照射露光装置以外にも、図示しないが、現像装置、スパッタリング成膜装置、レジスト膜塗布装置、電解めっき装置、エッチング装置、洗浄装置等を用いる。
【００２９】
点照射露光装置は、多軸ステージ１とバイオレットレーザー（ネオアーク（株）、TC20-4060-15（405nm））を露光光源とした同軸観察照射光学系２から構成される。多軸ステージ１は、サンプルSの位置決めに用いるX、Y、パターン描画に用いるZ、θ、円筒の軸ずれや傾きを補正するX’、Y’、θ’、ならびにゴニオステージのα、βから構成され、ピンバイス式のチャック３で鉛直方向に保持した円筒サンプルSの中心軸が光軸に対して正確に垂直になるように調整する。各ステージは、パーソナルコンピュータ４で制御されたステージコントローラ５で駆動される。一方、同軸観察照射光学系２は、レーザー６から射出されたレーザー光をシャッター７とアパーチャ８を通してビームスプリッター９で露光光を反射させて対物レンズ１０で集光し、サンプルＳの表面を照射する。また、円筒サンプルSの露光光の照射部の映像は、ビームスプリッター９を通してＣＣＤカメラ１１で受光してモニター１２に表示する。尚、初期アライメントのために、前記ビームスプリッター９とＣＣＤカメラ１１の間にハーフミラー１３を配置し、ＬＥＤ１４からの光を、前記ビームスプリッター９を透過させて対物レンズ１０でサンプルＳの表面に集光するようにしている。前記レーザー６には電源１５から電力を供給するが、レーザー６の発振に同期させてＡＤ変換器１６を介して前記パーソナルコンピュータ４に同期信号を送り、一連の描画作業が開始される。ここで、露光光のスポットサイズはアパーチャ８と対物レンズ１０の組み合わせで決まり、更に光強度はアパーチャ８に組み込んだフィルター１７とレーザー出力の組み合わせから調節する。
【００３０】
前述の円筒面フォトリソグラフィによって微細チューブ上に配線パターンを形成する工程を図２及び図３に基づいて簡単に説明する。代表的なサイズを示せば、チューブは外径２mm以下、配線の線幅は１５０μｍ、厚さは３５μｍである。配線には、抵抗率が比較的低く、作製プロセスが容易で、磁化率アーティファクトが比較的小さい点から銅を選択した。１．５ＴのMRI装置の場合の受信信号の周波数６３．８６５MHzでは銅の表皮深さは８．１５μｍとなるが、表皮深さの約４倍の配線厚に設定することで高周波抵抗を低減できると期待される。従って、配線の厚みを３５μｍとした。また、配線幅は、抵抗値を考慮して１５０μｍとした。
【００３１】
先ず、図２に基づいて１層目のコイルパターンを形成するプロセスを説明する。最初に、円筒サンプルのポリイミドチューブ２０上にスパッタリングによって銅シード層２１（膜厚約２００ｎｍ）を成膜した。サンプルが円筒であるため、回転機構をスパッタリング装置に導入している（図２(1)）。次に、スプレーコータによりレジスト２２をスプレー塗布した。レジスト２２には厚膜用ポジ型レジスト(Az社、Az P4210(49 cP))を用いた（図２(2)）。そして、前述の点照射露光装置を用いて露光・現像を実施してパターン形成部分のシード層２１を露出させ（図２(3)）、この部分に硫酸銅水溶液を用いた電解めっきによって厚膜の銅２３を形成した（図２(4)）。めっき後はアセトンでレジストを除去し（図２(5)）、さらにアンモニア過水（１０％過酸化水素を含んだアンモニア水）への浸漬により銅シード層２１を剥離することで（図２(6)）、ポリイミドチューブ上に銅配線のコイルパターン（１層目）を得た。その後、パリレンSR（KISCO(株)、diX-SR）によって絶縁層２４を成膜し（図２(7)）、上層との電気接続を得るためにYAGレーザーの第3高調波（３５５ｎｍ）によって部分的にパリレン絶縁層２４のアブレーションを行った（図２(8)）。このようにして１層目プロセスを完了する。
【００３２】
次に、図３に基づいて２層目のコイルパターンを形成するプロセスを説明する。２層目プロセスも基本的には１層目プロセスと同様である。先ず、１層目の絶縁層２４上にスパッタリングによって銅シード層２５（膜厚約２００ｎｍ）を成膜した（図３(9)）。次に、スプレーコータによりレジスト２６をスプレー塗布した（図３(10)）。そして、前述の点照射露光装置を用いて露光・現像を実施してパターン形成部分のシード層２５を露出させ（図３(11)）、この部分に硫酸銅水溶液を用いた電解めっきによって厚膜の銅２７を形成した（図３(12)）。めっき後はアセトンでレジスト２６を除去し、さらにアンモニア過水への浸漬により銅シード層２５を剥離することで、２層目のコイルパターンを得た（図３(13)）。その後、パリレン絶縁層２８を成膜し、上層との電気接続を得るためにYAGレーザーによって部分的にパリレン絶縁層２８のアブレーションを行った（図３(14)）。
【００３３】
更に、配線を多層化する場合はこの一連のプロセスを繰り返せばよい。尚、２層目は、単純なパターンのリード線となる場合もある。上層に設けない場合、あるいは上層との電気的接続が不要な場合には、レーザーアブレーションによるパリレン絶縁層の剥離工程を省略する。これら一連のフォトリソグラフィによる微細パターンの形成は、半導体製造プロセス、特にプリント配線プロセスと基本的には同じである。
【００３４】
以上に示した円筒面フォトリソグラフィによって作製した多層コイルを図４及び図５に示している。図４にソレノイド型の受信コイル３０を示し、図５にサドル型の受信コイル４０を示している。何れの受信コイルも基板には外径１．９２ｍｍ、内径１．８ｍｍのポリイミドチューブを用いて、その上に２層構造のコイルを形成した。
【００３５】
ここで、ソレノイド型の受信コイル３０は、コイル前方に磁場感度分布を示すことが期待され、例えばコイルを挿入できないような狭窄および閉塞病変において管壁まで含めた前方撮像で安全かつ適切な診断を実現できる。この場合、ソレノイドの形状を後述のように変形することにより、前方から斜め前方にかけて磁場感度分布をある程度制御でき、撮像範囲を対象部位に応じて設定可能である。一方、サドル型の受信コイル４０は、コイル周囲に均一な磁場感度分布を示し、コイル周囲の撮像（側方視）に適しており、例えば病変の管壁および管腔内断層撮像に適している。
【００３６】
図４に示したソレノイド型の受信コイル３０の構成は、巻き数１０回、コイル長さ３ｍｍ（コイルピッチ３００μｍ）である。チューブ３１の先端部にコイル部３２を１層目プロセスで作製し、該コイル部３２の両端部からチューブ３１の基端側へ接続するリード線部３３，３４を２層目プロセスで作製した。ここで、前記コイル部３２の基準形状は、コイル部３２の中心軸とチューブ３１の中心軸が略一致したソレノイドコイルであり、図中に破線Ｎで示している。チューブ３１の先端側のコイル端から基端側へチューブ３１に沿って引き出すリード線部３４が、コイル部３２と交差してブリッジを形成する。このブリッジ部分Ａの拡大を図４（ｂ）に示している。前記リード線部３４は、コイル部３２を構成する配線の間に形成される幅１５０μｍの溝に架橋されている。
【００３７】
また、図５に示したサドル型の受信コイル４０は、コイル長さを５ｍｍ、コイル開き角を１６０°とし、２層が重なった構造になっている。ここで、開き角とは、円筒面に形成されたコイル部の外形に対応するチューブの中心角度である。チューブ４１の先端部で直径を挟んだ両円筒面にそれぞれ下層のコイル部４２，４３とその一端に連続する一対のリード線部４４，４５を１層目プロセスで作製し、各コイル部４２，４３に重なるように上層のコイル部４６，３７と該コイル部４６，４７の一端を連続する接続線部４８を２層目プロセスで作製した。図５（ａ）中に示した重なり部分Ｂを図５（ｂ）に拡大して示し、交差部分Ｃを図５（ｃ）に拡大して示し、ブリッジ部分Ｄを図５（ｄ）に拡大して示している。
【００３８】
我々は過去に単層コイルを作製しているが、厚い銅配線の形状の制御が困難であるため、多層化したときに配線段差部、特に前記ブリッジ部分Ａ，Ｂや交差部分Ｃでの断線や配線の薄肉化が生じるなど、良好な形状の多層コイルが得られなかった。そこで今回、多層化のためのプロセスの最適化を行った。
【００３９】
このプロセスにおいて重要となるのがレジスト塗布における膜厚の制御と露光条件である。本実施形態では、レジスト塗布においては膜厚が５０μm程度になるように塗布条件を調節し、露光はスポットサイズφ１００μm、レーザー出力８０mW、ND2フィルターの条件で実施した。レジストが５０μm以上の厚みになると２回以上の露光が必要になる。多重露光の場合、段差のなだらかな幅広いレジスト形状、つまり断面が逆台形の凹溝になる。また、５０μm以上の厚みのレジストを１回の露光で済むようにレーザー出力を上げて露光光をこれ以上強くした場合も段差のなだらかな幅広いレジスト形状になる。このような形状の場合、めっき後の配線断面は逆台形となるためこの段差を越えて上層に形成した配線が薄肉化や切断（段切れ）する原因となる。一方、今回改善した条件の場合、幅が約１５０μｍの凹溝が形成され、レジストの段差が垂直に近い形状になる。このとき電解めっき後に断面が長方形の良好な形状の配線が得られ、その結果、上層配線が下層配線の段差に滑らかに沿うことが可能になった。今回の条件の改善によりこれまで作製が困難であった２層コイルを良好な形状で得るに至った。
【００４０】
また、プロセス改善のその他の検討として、液体ポリイミドの塗布によって配線段差を平坦化して段切れの危険を軽減する方法も好ましい。この方法は、現状よりさらに多層になるなど、段差がより大きく複雑になった場合に有効と考えられる。
【００４１】
次に、ソレノイド型の受信コイルとサドル型の受信コイルの形状及び多層構造に対する改良を行った。図６〜図１２は通常のソレノイドの形状に対して変形を加えたものであり、変形ソレノイド型の受信コイルと称する。図６〜図８に示した変形ソレノイド型の受信コイルは、コイル部３２の１ループを略円盤とみなした時に、略円盤の垂線とチューブ３１の中心軸が略一致したソレノイドコイルである。言い換えれば、変形ソレノイド型の受信コイルは、等ピッチのソレノイドコイル形状Ｎを基準として、コイル部３２を形成する１ループの配線の一部にチューブ３１の軸方向Ｐの遠位側に突出した凸部３５を形成し、各ループで同一パターンに形成したものである。ここで、軸方向Ｐは、チューブ３１の遠位側に向いた方向である。前記凸部３５は、コイル部３２の１ループ当たり２〜４箇所設けることが好ましい。凸部３５が１箇所の場合はそれを設ける効果に乏しく、５箇所以上の場合は作製が困難になるばかりでなく、変形量が少なくなって効果も乏しくなる。
【００４２】
図６は、第１例の変形ソレノイド型の受信コイル３０１を示し、（ａ）は概観斜視図であり、（ｂ）はコイル部３２の展開図を示している。前記凸部３５は、１ループに２箇所ずつ１８０°毎に設けられている。この場合、凸部３５を有する部位から軸方向Ｐに対して広がった磁場感度分布が得られる。
【００４３】
図７は、第２例の変形ソレノイド型の受信コイル３０２を示し、（ａ）は概観斜視図であり、（ｂ）はコイル部３２の展開図を示している。前記凸部３５は、１ループに４箇所ずつ９０°毎に設けられている。この場合も、凸部３５を有する部位から軸方向Ｐに対して広がった磁場感度分布が得られる。
【００４４】
図８は、第３例の変形ソレノイド型の受信コイル３０３を示している。この場合は、コイル部が２層であり、１層目と２層目のコイル部の展開図を示している。１層目と２層目のコイル部３２には、それぞれ前記凸部３５が１ループに２箇所ずつ１８０°毎に設けられているが、１層目と２層目では凸部３５の位置を９０°ずらせている。つまり、２層のコイル部による磁場感度分布の合成を考えれば、前記凸部３５が１ループに４箇所ずつ９０°毎に設けられていることになる。この場合、図７のものと比較してより大きなパターンの凸部３５を形成できる。尚、変形ソレノイドを多層に形成する場合、各層の形状は異なってもよく、任意でよい。
【００４５】
図９は、第４例の変形ソレノイド型の受信コイル３０４を示し、（ａ）は概観斜視図であり、（ｂ）はコイル部３２の展開図を示している。この場合、コイル部３２の１ループを略円盤とみなした時に、略円盤の垂線とチューブ３１の中心軸がずれを有しているソレノイドコイルである。具体的には、略円盤の垂線とチューブの中心軸のなす角度を３０°より大きくしている。図９に示した変形ソレノイドコイルを別の表現で表せば、コイル部３２の中心軸は軸方向Ｐに対して傾斜した方向を向いており、磁場感度分布がチューブ３１の斜め前方を向いているというものである。特に、この受信コイル３０４を傾斜ソレノイド型と称する。
【００４６】
図１０及び図１１に示した変形ソレノイド型の受信コイルは、等ピッチのソレノイドコイル形状Ｎを基準として、コイル部３２を形成する１ループの配線の一部にチューブ３１の軸方向Ｐの近位側に凹んだ凹部３６を形成し、各ループで同一パターンに形成したものである。
【００４７】
図１０は、第５例の変形ソレノイド型の受信コイル３０５を示し、（ａ）は概観斜視図であり、（ｂ）はコイル部３２の展開図を示している。前記凹部３６は、１ループに２箇所ずつ１８０°毎に設けられている。この場合、凹部３６を有する部位から軸方向Ｐに対して狭まった磁場感度分布が得られる。
【００４８】
図１１は、凹部３６の形状に対するバリエーションを示し、（ａ）は凹部３６がＶ字形、（ｂ）は凹部３６がＵ字形、（ｃ）は凹部３６が多角形の場合を図式的に示している。この凹形状の変形ソレノイド型の受信コイルは、局所撮像用に適している。
【００４９】
図１１に示すように、カテーテル遠位側に対して配線が凹形状である場合、単純なソレノイド型コイルＮに比較して、磁場の感度領域がカテーテル先端の配線の凹部分の前方に集中する。コイル配線を多層化してループ数を増やせば感度が向上するため、より好ましい。配線の凹み部分の形状は、直線で凹んだ形状（Ｖ字形）、曲線で凹んだ形状（Ｕ字形）、多角的に凹んだ形状（多角形）など多様な形状を取りうる。凹部の個数は２つ以上であり、同一の層で複数形成してもよいし、多層にして凹部を増やしてもよい。例えば、凹部が４つである場合、同一層で４つ形成してもよいし、下層に２つの凹部を形成してから上層に１／４周期ずらした２つの凹部を形成して計４つの凹部分を形成してもよい。また、凹部をオーバーラップさせてもよい。この場合も、変形ソレノイドを多層に形成する場合、各層の形状は異なってもよく、任意でよい。
【００５０】
配線を載せる基板は断面が真円の円筒でも良いが、磁場感度域を局所に集中させるために楕円円筒や円錐の基板を用いてもよい。例えば楕円円筒の長径方向に凹型部分を配置することで、磁場感度域を集中させる面積が大きくなり、より大きな効果が得られる。基板に用いる素材は生体使用に適して絶縁性に優れた材質であれば特に制限はなく、例えば耐熱性に優れ円筒面フォトリソグラフィのプロセスでも問題なく使用できるポリイミドチューブなどが挙げられる。
【００５１】
本発明で用いる円筒面フォトリソグラフィであれば、カテーテルの内腔を維持したままコイル作製できるため、ガイドワイヤー挿入や生理食塩水の注入によるカテーテル抜去などの従来のカテーテル機能を損なうことがなく、脳などの細い血管でもスムーズに挿入できる極細径の受信コイルの設計が可能となる。さらに、コイルを多層にすることで、コイルの受信感度を向上させられるだけでなく、目的に合わせて硬性部分を設計できるため、例えばカテーテルに搭載した際に、カテーテルの操作性を損なうことがない。
【００５２】
そして、本発明の凹形状の変形ソレノイド型の受信コイルを使用すれば、体内に挿入したまま局所を高感度に撮像できるため、例えば従来は不可能であった生体内でのＮＭＲスペクトロスコピーによる生体組織の代謝測定などに有効となる。
【００５３】
図１２は、第６例の変形ソレノイド型の受信コイル３０６を示し、（ａ）は概観斜視図であり、（ｂ）はコイル部３２の展開図を示している。この場合、前記コイル部３２の基準形状が、コイル部３２の中心軸とチューブ３１の中心軸が傾斜した傾斜ソレノイドコイルであり、図中に破線Ｍで示している。この第６例の受信コイル３０６は、傾斜ソレノイド型と凹形状の変形ソレノイド型を合成したものである。つまり、コイル部３２の中心軸は軸方向Ｐに対して傾斜した方向を向いており、１ループに２箇所ずつ１８０°毎に凹部３６が設けられている。図中には、基準となる単純な傾斜ソレノイドＭも併せて表示している。この場合、チューブ３１の斜め前方に収束した磁場感度分布を有している。尚、この傾斜ソレノイド型の場合も、前記凹部３６に変えて凸部３５を形成することも可能である。
【実施例１】
【００５４】
側方視用のサドル型受信コイルと前方視用の変形ソレノイド型受信コイルを製作し、ＭＲＩによる撮像を試みた。図１３は、作製したサドル型受信コイルの概略の展開図を示し、各コイル部の軸方向長さは５ｍｍで共通である。図１３（ａ）は、単層構造であり、各コイル開き角は１６６°である。図１３（ｂ）は、２層のコイル部が完全に重なった構造であり、各コイル開き角は１６０°である。図１３（ｃ）は、４層のコイル部が完全に重なった構造であり、各コイル開き角は１６０°である。図１３（ｄ）は、比較のためのものであり、２層のコイル部がずれた構造であり、内側のコイル開き角は１２０°、外側のコイル開き角は１６０°である。図１３（ｂ）の２層サドル型受信コイルは、図５に示したものと同じであり、図１４にその１層目と２層目の配線パターンを分けて表している。また、変形ソレノイド型受信コイルは、図６に示したような凸部３５を１８０°毎に形成したものである。
【００５５】
作製した２層サドル型受信コイル及び変形ソレノイド型受信コイルの電気特性をインピーダンスアナライザによって測定し、サドル型受信コイルについては単層サドル型受信コイルと特性を比較した。各受信コイルの電気特性の測定結果を表１にまとめた。
【００５６】
【表１】
0005504785.tif 000002
【００５７】
サドル型受信コイルに注目すると、２層コイルは単層よりインダクタンスLが約5.4倍になり、高いQ値を示している。この電気特性の向上はコイルループ数の増加に伴うインダクタンスLの増加によるものであり、Ｌが巻数の二乗に比例するという理論とおおよそ一致している。多層化によって電気特性を向上させられることが示された。また、ソレノイドコイルも2層サドルと同様に、高いLおよびQ値を示した。
【００５８】
次に、作製した受信コイルを用いて寒天ファントムに埋めたアクリル格子を撮像してその撮像性能を確認した。その実験配置の概要を図１５に示す。アクリル格子５０は、平板５１に直方体の突起５２が１ｍｍピッチ、２ｍｍピッチで格子状に突設した形状のものである。図１５（ａ）に示すように、アクリル格子５０の平板５１に開けた穴５３に、サドル型受信コイル５４を平板５１と直交状態で挿入し、コイル部５５の長手方向中央部に穴５３が位置するように設定する。つまり、アクリル格子をコイルの長軸に垂直に配置し、コイルは静磁場Ｂ0と平行にして撮像した。一方、図１５（ｂ）に示すように、アクリル格子５０の平板５１と変形ソレノイド型受信コイル５７を平行状態に配置するとともに、平板５１の一辺部に設けた切欠部５６内に、変形ソレノイド型受信コイル５７のコイル部５８の先端部を位置させて設定した。つまり、アクリル格子はコイル前方に水平に配置し、コイルは静磁場Ｂ0と直交にして撮像した。
【００５９】
そして、図１３に示した各サドル型受信コイル及び変形ソレノイド型受信コイルを用いてアクリル格子のMRI撮像を行った。作製した受信コイルにチューニング・マッチング回路、デカップリング回路および同軸ケーブルを接続してMRIプローブを構成した。チューニング回路はプローブの共振点を受信信号の周波数63.865MHzに一致させ、マッチング回路は回路末端のインピーダンスを同軸ケーブルの特性インピーダンス50Ωに一致させて伝送の反射ロスを抑える。デカップリング回路はコンダンサＣ2、インダクタＬd及びＣ2と並列に接続したPINダイオードからなり、受信コイル周辺の磁場乱れとMRI装置への過大電流の流入を防止する。プローブで受信した信号は、ケーブル長を周波数63.865 MHzの電流の半波長の整数倍に制御した同軸ケーブル（長さλ/2＝約1.6m）によってMRI装置へ伝送される。
【００６０】
1.5 T MRI装置（Signa EXCITE XI TwinSpeed 1.5 T, GE Healthcare）に作製したMRIプローブを接続し、アクリル格子（１ｍｍピッチ、２ｍｍピッチ）を埋め込んだ平滑筋等価寒天ファントムを用いて撮像した。寒天ファントムはプロトン緩和時間をヒト平滑筋と等価に調整してあり（T1=920 msec、T2=55 msec）、純水、寒天2.5％ｗｔ、食塩0.22％ｗｔ、アジ化ナトリウム０．１％ｗｔ（防腐剤）、Ｇｄ造影剤（MRI造影剤、エーザイ（株） プロハンス注）120 μmol/kgから構成される。撮像のパルスシーケンスにはSPGR (SPoiled Gradient Recalled acquisition in steady state)を用いた。撮像時間は１分４３秒、撮像野は２０mm×２０mm、ＴＥ＝１０．８msec、ＴＲ＝１００msecである。撮像データは、撮像範囲が明確になるように、アクリル格子での撮像データに、寒天のみの撮像データの輝度値の逆数を掛け合わせる画像補正を実施した。
【００６１】
図１６に、今回作製した各サドル型受信コイルによる寒天ファントム中のアクリル格子の撮像結果と、体外コイルの撮像結果を示した。図１６はMRI断層撮像であり、サドル型受信コイルが各断層画像中央に紙面に直交する方向に存在する。図１６（ａ）は図１３（ａ）に示した単層コイル、図１６（ｂ）は図１３（ｂ）に示した完全にコイル部が重なり合った２層コイル、図１６（ｃ）は図１３（ｃ）に示した完全にコイル部が重なり合った４層コイル、図１６（ｄ）は図１３（ｄ）に示したコイル部がずれた配線分離２層コイル、図１６（ｅ）は体外コイルの撮像結果である。この結果から明らかなように、格子の形状が判別できない体外コイルに比較して単層コイル、２層コイル、４層コイルともにアクリル格子の形状が鮮明に描出されており、作製したMRIプローブが体内深部の極小領域に対して高い撮像能を有することが示された。
【００６２】
特に、完全にコイル部が重なり合った２層コイルと完全にコイル部が重なり合った４層コイルは、全周にわたって均一な感度分布を有するが、配線分離２層コイルでは感度分布が不均一であり、完全にコイル部が重なり合った２層コイルの方が撮像性能が高いことが判った。また、完全にコイル部が重なり合った２層コイルと完全にコイル部が重なり合った４層コイルでは、感度分布に関しては有意な差は見られない。従って、製造の容易性から判断すると、完全にコイル部が重なり合った４層コイルよりも完全にコイル部が重なり合った２層コイルの方が有利である。
【００６３】
次に、完全にコイル部が重なり合った２層コイルと単層コイルでの撮像領域の比較を行った。MRIでは、撮像法、撮像パラメータによってコントラストが変化するため、組織分解能や診断可能範囲を定量化することは困難であるが、本実施例ではアクリル格子と寒天の境界が識別できる限界の領域を撮像領域とした。図１６から完全にコイル部が重なり合った２層コイルは半径6mm程度の撮像領域を有し、半径4.5mmの撮像領域の単層コイルよりも拡大していることが分かる。これは内径3〜5mm程度の冠動脈や内径5〜8mm程度の胆管および内径3mm程度の膵管といった体深部管腔の断層撮像には有効な撮像領域であると期待される。また図から完全にコイル部が重なり合った２層コイルと単層コイルの何れのコイルも、コイル周囲への均一な磁場感度分布を実現できていることが推測される。
【００６４】
更に、完全にコイル部が重なり合った２層コイルと単層コイルのSN比の比較を行った。コイルの感度分布を反映する寒天ファントムのみでの撮像結果を用いて、コイルから離れたノイズ領域に対する信号強度の比（SN比）がコイル表面から離れるに従ってどのように変化するかを求めた結果を図１７に示す。この結果から、完全にコイル部が重なり合った２層コイルのSN比が単層コイルよりも向上していることが分かる。高いSN比は受信コイルに求められる能力の一つであり、診断可能領域の見かけ上の拡大と、撮像時間の短縮につながる。
【００６５】
次に、図１８に変形ソレノイド型受信コイルによる、寒天ファントム中のアクリル格子の撮像結果を示した。SPGRによるＴ１強調画像を取得した。撮像時間は１分４３秒、撮像野は２０mm×２０mm、ＴＥ＝１０msec、ＴＲ＝１００msecである。図中左側からMRIプローブを配置しており、コイル先端が図の中央に右側を向いて存在する。図から明らかなようにコイルの磁場感度分布はコイル前方域で、コイル径よりも幅広く前方領域を撮像できることが示された。その撮像域は長軸方向4.5mm、短軸方向5.5mmであり、例えば狭窄・閉塞血管内における診断・治療に役立つ診断領域であると期待される。
【符号の説明】
【００６６】
１  多軸ステージ、
２  同軸観察照射光学系、
３  チャック、
４  パーソナルコンピュータ、
５  ステージコントローラ、
６  レーザー、
７  シャッター、
８  アパーチャ、
９  ビームスプリッター、
１０  対物レンズ、
１１  ＣＣＤカメラ、
１２  モニター、
１３  ハーフミラー、
１５  電源、
１６  ＡＤ変換器、
１７  フィルター、
２０  ポリイミドチューブ、
２１  銅シード層、
２２  レジスト、
２３  銅、
２４  絶縁層、
２５  銅シード層、
２６  レジスト、
２７  銅、
２８  絶縁層、
３０  ソレノイド型受信コイル、
３１  チューブ、
３２  コイル部、
３３  リード線部、
３４  リード線部、
３５  凸部、
３６  凹部、
４０  サドル型受信コイル、
４１  チューブ、
４２  コイル部、
４３  コイル部、
４４  リード線部、
４５  リード線部、
４６  コイル部、
４７  コイル部、
４８  接続線部、
５０  アクリル格子、
５１  平板、
５２  突起、
５３  穴、
５４  サドル型受信コイル、
５５  コイル部、
５６  切欠部、
５７  変形ソレノイド型受信コイル、
５８  コイル部。
【図１】
0005504785.tif 000003
【図２】
0005504785.tif 000004
【図３】
0005504785.tif 000005
【図４】
0005504785.tif 000006
【図５】
0005504785.tif 000007
【図６】
0005504785.tif 000008
【図７】
0005504785.tif 000009
【図８】
0005504785.tif 000010
【図９】
0005504785.tif 000011
【図１０】
0005504785.tif 000012
【図１１】
0005504785.tif 000013
【図１２】
0005504785.tif 000014
【図１３】
0005504785.tif 000015
【図１４】
0005504785.tif 000016
【図１５】
0005504785.tif 000017
【図１７】
0005504785.tif 000018
【図１６】
0005504785.tif 000019
【図１８】
0005504785.tif 000020